(57)【要約】【課題】  壁の汚れを防止し、施工性に優れたフェンスを提供する。【解決手段】  支柱と、笠木と、一のカバー材と、他のカバー材とを備え、支柱は、壁上面に立設し、笠木は、支柱の寸法よりも大きな寸法の支柱挿通孔を有し、支柱を挿通させて壁上面に取り付けてあり、一のカバー材又は他のカバー材は、摺動可能であり、一のカバー材と他のカバー材が、支柱を挟んで支柱挿通孔を塞ぐ。【選択図】      図５
2019078144.tif 000002
【特許請求の範囲】
【請求項１】
支柱と、笠木と、一のカバー材と、他のカバー材とを備え、支柱は、壁上面に立設し、笠木は、支柱の寸法よりも大きな寸法の支柱挿通孔を有し、支柱を挿通させて壁上面に取り付けてあり、一のカバー材又は他のカバー材は、摺動可能であり、一のカバー材と他のカバー材が、支柱を挟んで支柱挿通孔を塞ぐことを特徴とするフェンス。
【請求項２】
支柱と、連結材と、笠木と、一のカバー材と、他のカバー材とを備え、支柱は、壁上面に立設し、連結材は、支柱の寸法よりも大きな寸法の支柱挿通孔を有し、支柱を挿通させて壁上面に取り付けてあり、笠木は、連結材によって壁上面において連結してあり、一のカバー材又は他のカバー材は、摺動可能であり、一のカバー材と他のカバー材が、支柱を挟んで支柱挿通孔を塞ぐことを特徴とするフェンス。
【発明の詳細な説明】
【技術分野】
【０００１】
本発明は、ブロック塀等に設置するフェンスに関する。
【背景技術】
【０００２】
従来、非特許文献１に示すように、ブロック塀等の壁の上面に支柱を立設して設置されるフェンスがある。
【先行技術文献】
【非特許文献】
【０００３】
【非特許文献１】「エクステリア総合カタログ（ＳＴＸ１０８９Ａ）」三協立山株式会社、２０１７年２月、ｐ．６２２
【発明の概要】
【発明が解決しようとする課題】
【０００４】
このようなフェンスは、雨水等がフェンスを伝って壁へ流れることにより、壁が汚れることが問題であった。本発明は上記実情に鑑み、壁の汚れを防止し、施工性に優れたフェンスを提供することを目的とする。
【課題を解決するための手段】
【０００５】
本発明のうち請求項１の発明は、支柱と、笠木と、一のカバー材と、他のカバー材とを備え、支柱は、壁上面に立設し、笠木は、支柱の寸法よりも大きな寸法の支柱挿通孔を有し、支柱を挿通させて壁上面に取り付けてあり、一のカバー材又は他のカバー材は、摺動可能であり、一のカバー材と他のカバー材が支柱を挟んで支柱挿通孔を塞ぐことを特徴とする。
【０００６】
本発明のうち請求項２の発明は、支柱と、連結材と、笠木と、一のカバー材と、他のカバー材とを備え、支柱は、壁上面に立設し、連結材は、支柱の寸法よりも大きな寸法の支柱挿通孔を有し、支柱を挿通させて壁上面に取り付けてあり、笠木は、連結材によって壁上面において連結してあり、一のカバー材又は他のカバー材は、摺動可能であり、一のカバー材と他のカバー材が支柱を挟んで支柱挿通孔を塞ぐことを特徴とする。
【発明の効果】
【０００７】
本発明のうち請求項１の発明によれば、笠木は支柱の寸法よりも大きな寸法の支柱挿通孔を有し、支柱を挿通させて壁上面に取り付けてあるので、支柱にパネル支持金具等の部品を取り付けた状態でも施工可能であり、壁が雨水等によって汚れない。一のカバー材又は他のカバー材は摺動可能であるため、支柱の施工誤差に対応できる。また、一のカバー材と他のカバー材は支柱を挟んで支柱挿通孔を塞ぐため、支柱にパネル支持金具等の部品を取り付けた状態や、パネル体を取り付けた後でも施工可能である。
【０００８】
本発明のうち請求項２の発明によれば、笠木は連結材によって壁上面において連結してあり、連結材は支柱の寸法よりも大きな寸法の支柱挿通孔を有し、支柱を挿通させて壁上面に取り付けてあるので、支柱にパネル支持金具等の部品を取り付けた状態でも施工可能であり、壁が雨水等によって汚れない。また、笠木は長さ調節以外の加工が不要であるため施工性が良い。一のカバー材又は他のカバー材は摺動可能であるため、支柱の施工誤差に対応できる。一のカバー材と他のカバー材は支柱を挟んで支柱挿通孔を塞ぐため、支柱にパネル支持金具等の部品を取り付けた状態や、パネル体を取り付けた後でも施工可能である。
【図面の簡単な説明】
【０００９】
【図１】フェンスの第一実施形態を示し、（ａ）は正面図、（ｂ）はＡ−Ａ線断面の要部拡大図である。
【図２】（ａ）は第一実施形態の笠木の斜視図、（ｂ）は笠木ベースの斜視図、（ｃ）は笠木ベースと笠木を壁に取り付けた状態の側面図である。
【図３】第一実施形態のカバー材を示し、（ａ）は平面図、（ｂ）は側面図、（ｃ）は正面図、（ｄ）は斜視図である。
【図４】（ａ）（ｂ）（ｃ）は既設のフェンスに笠木を取り付ける際の施工手順を示す斜視図である。
【図５】（ａ）（ｂ）（ｃ）はフェンスの第一実施形態の施工手順を示す要部拡大図である。
【図６】（ａ）（ｂ）（ｃ）は一のカバー材及び他のカバー材の取り付け手順を示す図１のＢ−Ｂ線断面概略図である。
【図７】図１のＣ−Ｃ線断面概略図である。
【図８】フェンスの第二実施形態を示し、（ａ）は正面図、（ｂ）はＤ−Ｄ線断面の要部拡大図である。
【図９】第二実施形態の一のカバー材を示し、（ａ）は平面図、（ｂ）は側面図、（ｃ）は正面図である。
【図１０】第二実施形態の他のカバー材を示し、（ａ）は平面図、（ｂ）は側面図、（ｃ）は正面図である。
【図１１】第二実施形態の一のカバー材と他のカバー材の笠木への取付けを示す斜視図である。
【図１２】（ａ）（ｂ）（ｃ）はフェンスの第二実施形態の施工手順を示す要部拡大図である。
【図１３】（ａ）は図８のＥ−Ｅ線断面概略図、（ｂ）は図８のＦ−Ｆ線断面概略図である。
【図１４】フェンスの第三実施形態を示し、（ａ）は正面図、（ｂ）はＧ−Ｇ線断面の要部拡大図である。
【図１５】第三実施形態の連結材を示し、（ａ）は平面図、（ｂ）は側面図、（ｃ）は正面図、（ｄ）は二つの連結材を連結させた状態の斜視図である。
【図１６】（ａ）（ｂ）（ｃ）はフェンスの第三実施形態の施工手順を示す要部拡大図である。
【図１７】（ａ）は図１４のＨ−Ｈ線断面概略図、（ｂ）は図１４のＩ−Ｉ線断面概略図である。
【発明を実施するための形態】
【００１０】
以下、本発明の実施の形態を図面に基づいて説明する。本発明に係るフェンスは、ブロック塀等の壁２の上面に設置されるものである。図１に示すように、壁２の上面には左右方向に間隔をおいて複数の支柱１が立設してあり、支柱１はパネル体３を支持している。また、笠木４が支柱挿通孔４ｈに支柱１を挿通させて壁２の上面を覆うように取り付けてあり、支柱挿通孔４ｈは一のカバー材５と他のカバー材５が支柱１を挟んで配置されることにより塞いである。
【００１１】
支柱１は、図１（ｂ）に示すように、断面矩形の中空形材である。壁２がブロック塀の場合は、上面の設置穴に支柱１が挿入され、モルタル等を充填して固定してある。支柱１の前側の見付面には、図５に示すように、側面視Ｌ字状のパネル支持金具６がネジで取り付けてあり、パネル支持金具６に支持されて、パネル体３が支柱１に架設してある。
【００１２】
壁２の上面には、笠木ベース７が配置され、笠木ベース７の上に笠木４が設置される。
笠木４は、左右方向に延びる長尺材であって、見込方向の寸法は壁２より大きい。図２（ａ）（ｃ）に示すように、側面視すると下方に開口を向けた略コ字形状であり、壁２の見付面から離れて垂下する水切り部４ａを前後両端部に備える。水切り部４ａは、壁２上面より下方に延びており、壁２上面より上方には内側に延出する延出部４ｂが形成してある。また、笠木４の下面に形成された被係合部４ｃは、笠木ベース７の上面に形成された係合部７ｃと係合する。なお第一実施形態の笠木４は、支柱１の寸法よりも大きい寸法の支柱挿通孔４ｈが設けてあり、支柱１を支柱挿通孔４ｈに挿通させて壁２上面に取り付けられる。支柱挿通孔４ｈの大きさについては、支柱１と支柱１に取り付けたパネル支持金具６を挿通可能な大きさであることが望ましい。
【００１３】
笠木ベース７は、図４（ｃ）に示すように、壁２の上面に左右の間隔をおいて複数配置され、笠木４を支持する。図２（ｂ）（ｃ）に示すように、笠木ベース７の上面には、笠木４との係合部７ｃが形成してあり、下面には、見込方向中央部において固定部７ａが形成してある。固定部７ａは壁２の上面より下方へ延び、下端は錨状に形成されており、壁２上面の取付孔２ｈに充填されたモルタルに埋まって笠木ベース７を固定する。笠木ベース７の前後両端部には、壁２の見付面近傍から外側へ延出する延出部７ｂが形成してある。笠木ベース７の延出部７ｂは笠木４の延出部４ｂと重ね合わせてネジ止めされる。
【００１４】
一のカバー材５及び他のカバー材５は、支柱１を前後から挟んで支柱挿通孔４ｈを塞ぎ、笠木４内に雨水等が浸入するのを防ぐ。第一実施形態の一のカバー材５と他のカバー材５は同一の形状であって、図１（ｂ）及び図３に示すように、矩形平板の一辺を矩形に切り欠いて支柱収容部５ａが設けてあり、一のカバー材５と他のカバー材５を連結した際に形成される支柱収容部５ａの寸法は、支柱１の寸法と略同じである。支柱収容部５ａを構成する三辺のうち対向する左右二辺には折り取り自在部５ｂ，５ｂが設けてある。折り取り自在部５ｂは、図３（ｃ）に示すように、支柱収容部５ａの縁部から内側へ向かって延出しており、その基部は肉薄に形成されている。支柱収容部５ａの左右外側にはそれぞれカバー材５の下面から下方へ延びる脚部５ｅが設けてある。図６（ｃ）に示すように、支柱１を挟み込んで一のカバー材５と他のカバー材５を連結したとき、一のカバー材５と他のカバー材５の脚部５ｅ，５ｅは支柱１の左右側面に位置し、その見込寸法は支柱１の見込寸法と略同じである。一のカバー材５と他のカバー材５の脚部５ｅの見込寸法は、支柱挿通孔４ｈの見込寸法より小さい。脚部５ｅの側部には係止部５ｆが設けてある。係止部５ｆは外側に向けて突出する爪状であり、図７に示すように、係止部５ｆが支柱挿通孔４ｈの縁部に掛かることによって、一のカバー材５及び他のカバー材５が笠木４に係止される。なお、一のカバー材５及び他のカバー材５を笠木４へ係止した状態で、係止部５ｆは支柱挿通孔４ｈの端部に沿って摺動可能であり、一のカバー材５及び他のカバー材５を支柱挿通孔４ｈ内に嵌め込んで見込方向に摺動させることができる。左右一方の脚部５ｅには被係合部５ｄが設けてあり、他方の脚部５ｅには鉤状の係合部５ｃが形成してある。係合部５ｃ及び被係合部５ｄは支柱収容部５ａの開口方向と同じ方向に形成してあり、一のカバー材５と他のカバー材５が支柱収容部５ａを対向させ支柱１を前後から挟むように連結されるとき、互いに対向する係合部５ｃと被係合部５ｄがそれぞれ係合する。一のカバー材５及び他のカバー材５は、柱１が支柱挿通孔４ｈの見込方向のどの位置にあっても支柱収容部５ａに収まるように摺動可能であり、どの位置に摺動しても支柱挿通孔４ｈを覆うことができるほどの大きさである。一のカバー材５と他のカバー材５によって支柱１を挟み込んだときの支柱１と、一のカバー材５又は他のカバー材５と、支柱挿通孔４ｈとの寸法関係を、図１（ｂ）に示すように、
ａ：一のカバー材又は他のカバー材の見込方向端部から支柱外周面までの寸法、
ｂ：支柱挿通孔の見込方向寸法、
ｃ：支柱の見込方向寸法、
とする。脚部５ｅの見込寸法が支柱１と同じであるとき、一のカバー材５又は他のカバー材５の支柱挿通孔４ｈ内における摺動範囲はｂ−ｃとして表され、ａ＞ｂ−ｃの条件式を満足するため、一のカバー材５及び他のカバー材５は笠木４上で見込方向に摺動可能である。
【００１５】
本発明を既設のフェンスに適用する場合、支柱１を立設させたまま施工することが可能である。既設のフェンスに適用する際の施工手順を図４及び図５に基づいて説明する。
まず、図４（ａ）に示す既設のフェンスのパネル体３を支柱１から取り外す。図４（ｂ）において、支柱１は壁２の上面に立設し、支柱１の前面側にはパネル支持金具６が取り付けられたままの状態である。次いで、図４（ｃ）に示すように、壁２の上面に笠木ベース７を複数設置する。支柱挿通孔４ｈを設けた笠木４には、端部を覆う端部キャップ８や、長手方向に隣接する笠木４，４の端部を連結する連結材１０、フェンスがコーナー部を有する場合はコーナー連結材を取り付けておく。また、一のカバー材５と他のカバー材５は、支柱１の寸法に支柱収容部５ａの寸法を合わせるため、必要に応じて折り取り自在部５ｂ，５ｂを切り取っておく。次に、図５（ａ）に示すように、支柱挿通孔４ｈに支柱１とパネル支持金具６を挿通させ、笠木４を壁２上面の笠木ベース７上へ仮置きする。そして、図５（ｃ）に示すように、一のカバー材５と他のカバー材５を、支柱１の前後から挟み込むように配置して笠木４の支柱挿通孔４ｈを塞ぐ。図５（ｂ）から図５（ｃ）の過程を図６に基づいて詳述すると、まず、一のカバー材５と他のカバー材５を、支柱１の前後において支柱収容部５ａを対向させて配し、図６（ｂ）のように脚部５ｅを支柱挿通孔４ｈ内に嵌めると、係止部５ｆが支柱挿通孔４ｈの縁部に掛かることにより笠木４へ係止される。脚部５ｅの見込寸法は、支柱挿通孔４ｈの見込寸法より小さいため、係止部５ｆを支柱挿通孔４ｈに係合した状態で一のカバー材５又は他のカバー材５を見込み方向へ摺動することができる。そして、一のカバー材５と他のカバー材５を支柱１が支柱収容部５ａ内に収まるように見込方向へ摺動させ、互いに対向する係合部５ｃと被係合部５ｄを係合させて繋ぎ合わせるとともに支柱挿通孔４ｈを塞ぐと、図５（ｃ）及び図６（ｃ）の状態となる。その後、笠木４を笠木ベース７と係合させてネジ止めした後、支柱１にパネル体３を取り付けることによりフェンスが完成する。
なお、本発明のフェンスを新設する際は、壁２の上面に支柱１を立設させて図４（ｂ）に示す状態とし、その後は既設のフェンスに適用させる場合と同様の手順で施工可能である。
【００１６】
このように構成したフェンスの第一実施形態によれば、笠木４は支柱１の寸法よりも大きな寸法の支柱挿通孔４ｈを有し、支柱１を挿通させて壁２上面に取り付けてあるので、支柱１にパネル支持金具６等の部品を取り付けた状態でも施工可能であり、壁２が雨水等によって汚れない。支柱挿通孔４ｈについて、支柱１の寸法よりも大きな寸法とは、例えば、支柱１がパネル支持金具６を備える場合は少なくとも支柱１及びパネル支持金具６を挿通可能な大きさである。
一のカバー材５又は他のカバー材５は見込方向に摺動可能であるため、支柱１の施工誤差に対応できる。詳しくは、ａ：一のカバー材又は他のカバー材の見込方向端部から支柱外周面までの寸法、ｂ：支柱挿通孔の見込方向寸法、ｃ：支柱の見込方向寸法、としたときに、ａ＞ｂ−ｃの条件式を満足するので、一のカバー材５又は他のカバー材５は、見込方向に摺動可能であり支柱１の施工誤差に対応できる。
また、一のカバー材５と他のカバー材５は支柱１を前後から挟んで支柱挿通孔４ｈを塞ぐため、支柱１にパネル支持金具６等の部品や、パネル体３を取り付けた状態でも施工可能である。さらに、一のカバー材５と他のカバー材５は、支柱挿通孔４ｈの内周に位置する支柱収容部５ａの縁に折り取り自在部５ｂを形成してあるため、必要に応じて折り取り自在部５ｂを切り取って支柱収容部５ａを拡張することで異なる寸法の支柱１に適用することができる。
【００１７】
次に、図８乃至図１２に基づき、本発明のフェンスの第二実施形態について説明する。第一実施形態と異なるのは、支柱挿通孔４１ｈと一のカバー材５１及び他のカバー材５２の態様である。第二実施形態では、二つの笠木４１，４２が支柱１を左右から挟むように配置され、支柱挿通孔４１ｈは支柱１の左右いずれか一方側に位置する笠木４１の一端部を矩形に切り欠いて設けてある。支柱挿通孔４１ｈの寸法は支柱１の寸法よりも大きく、支柱１と支柱１に取り付けたパネル支持金具６を挿通可能な大きさであることが望ましい。また第二実施形態において、一のカバー材５１及び他のカバー材５２は、支柱１を左右から挟み込んで支柱挿通孔４１ｈを塞ぐものであり、一のカバー材５１と他のカバー材５２の形状は異なる。
一のカバー材５１は、支柱挿通孔４１ｈを設けた笠木４１に取り付けられるものであり、図９に示すように、矩形平板の一辺を矩形に切り欠いて支柱収容部５１ａとし、平面視略コ字形状に形成してある。支柱収容部５１ａの寸法は、支柱１の寸法と略同じであって、支柱収容部５１ａを構成する三辺のうち一辺には、折り取り自在部５１ｂが設けてある。折り取り自在部５１ｂは、支柱収容部５１ａの縁部から内側へ向かって延出しており、その基部は肉薄に形成されている。また、一のカバー材５１の底面には正面視Ｌ字形状の係止部５１ｃが設けてある。係止部５１ｃは支柱収容部５１ａに沿って、見込方向に設けてあり、図１３（ｂ）に示すように、係止部５１ｃが支柱挿通孔４１ｈの縁部に掛かることによって、一のカバー材５１が係止される。係止部５１ｃの見込寸法は、支柱収容部５１ａ（支柱１）の見込寸法と略同じであり、支柱挿通孔４１ｈの見込寸法より小さい。
他のカバー材５２は、図８（ｂ）に示すように、笠木４１，４２の連結材としての役割を有するものである。他のカバー材５２は、図１０に示すように、側面視すると下向きに開口する略コ字形状の外周部５２ａを備え、長手方向に隣接する二つの笠木４１，４２の端部を連結する。
【００１８】
フェンスの第二実施形態も、第一実施形態と同様に新設及び既設のフェンスに対して適用することができる。なお、施工手順は図４（ｂ）の状態まで第一実施形態と同様であるため、図４（ｂ）の状態から先の施工手順を図１１及び図１２に基づいて説明する。
図１１に示すように、一方の笠木４１の支柱挿通孔４１ｈに一のカバー材５１を取り付けておく。一方の笠木４１に取り付けられた一のカバー材５１は、支柱収容部５１ａの開口を外側に向けており、係止部５１ｃの見込寸法が支柱挿通孔４１ｈの見込寸法より小さいため、係止部５１ｃを支柱挿通孔４１ｈに係合した状態で見込方向に摺動可能である。また、他方の笠木４２の端部には、他のカバー材５２を取り付けておく。
図１２（ａ）に示すように、壁２の上面に笠木ベース７を取り付ける。次に、他のカバー材５２を取り付けた他方の笠木４２を、図１２（ｂ）に示すように、他のカバー材５２の側面に支柱１を当接させて、笠木ベース７上へ仮置きする。そして、支柱１が支柱収容部５１ａ内に収まるように一のカバー材５１を摺動させて一方の笠木４１を配置することにより、二つの笠木４１，４２、及び、一のカバー材５１と他のカバー材５２が支柱１を左右から挟み込み、支柱挿通孔４１ｈを塞ぐ。その後、笠木４１，４２を笠木ベース７と係合させてネジ止めした後、支柱１にパネル体３を取り付けることによりフェンスが完成する。
【００１９】
このように構成したフェンスの第二実施形態は、第一実施形態と同様の効果を奏する他、二つの笠木４１，４２が支柱１を左右から挟むように配置され、他のカバー材５２は二つの笠木４１，４２の連結材としての役割も有するため、パネル体３を支柱１に固定した状態でも笠木４１，４２を壁２に施工可能であり、既設のフェンスに施工することが容易である。
【００２０】
次に、図１４乃至図１７に基づき、本発明のフェンスの第三実施形態について説明する。他の実施形態と異なるのは、笠木４３は長さ調節以外の加工が不要である点と、二つの笠木４３，４３が支柱挿通孔９ｈを有する二つの連結材９，９によって連結される点である。なお、一のカバー材５及び他のカバー材５には、第一実施形態と同一形状のカバー材５が用いられる。二つの連結材９，９は、同一の形状のものが支柱１を前後から挟み込むように連結し、左右の笠木４３，４３の端部を連結するものである。連結材９は、図１５に示すように、被覆部９ａと笠木支持部９ｂ，９ｃから構成される。被覆部９ａは、矩形の前後一辺を切り欠いて支柱挿通孔９ｈを形成してあり、平面視すると支柱挿通孔９ｈが見込方向に開口する略コ字形状である。また被覆部９ａの上面及び見込面は、笠木４３と略面一に形成されている。被覆部９ａの左右両側には、それぞれ左右方向に延びる二つの笠木支持部９ｂ，９ｃが形成してあり、壁２上面において笠木支持部９ｂ，９ｃの上面は笠木ベース７の上面と略同じ高さである。二つの笠木支持部９ｂ，９ｃのうち、端部側に設けた笠木支持部９ｂには、笠木４３をネジ止めするための固定部９ｆが設けてある。固定部９ｆは前後外側に向かって延出し、笠木ベース７の延出部７ｂと略同じ高さに形成してある。また、中央側に設けた笠木支持部９ｃは、左右一方側の笠木支持部９ｃに嵌合溝９ｄが形成してあり、他方側の笠木支持部９ｃに被嵌合部９ｅが形成してある。嵌合溝９ｄと被嵌合部９ｅは、支柱挿通孔９ｈの開口方向と同じ方向に設けてあり、二つの連結材９，９が支柱挿通孔９ｈを対向させ支柱１を前後から挟み込むように連結されるとき、互いに対向する嵌合溝９ｄと被嵌合部９ｅがそれぞれ係合する。二つの連結材９，９が連結して形成する支柱挿通孔９ｈは、支柱１の寸法よりも大きい寸法であり、望ましくは支柱１と支柱１に取り付けたパネル支持金具６を挿通可能な大きさである。
【００２１】
フェンスの第三実施形態も、他の実施形態と同様に新設及び既設のフェンスに対して適用することができる。なお、施工手順は図１２（ａ）の状態まで第二実施形態と同様であるため、図１２（ａ）の状態から先の施工手順を図１６に基づいて説明する。
まず、図１６（ａ）に示すように、二つの連結材９，９を支柱１の前後から挟み込んで連結させる。次に、図１６（ｂ）及び図１７（ａ）（ｂ）に示すように、一のカバー材５と他のカバー材５を、支柱１の前後から挟み込むように配置する。一のカバー材５と他のカバー材５は、脚部５ｅを連結材９，９の支柱挿通孔９ｈ内に嵌め込むと、係止部５ｆが支柱挿通孔９ｈの縁部に掛かることにより連結材９，９へ係止される。次いで、支柱１が支柱収容部５ａ内に収まるように見込方向へ摺動させ、対向する係合部５ｃと被係合部５ｄを係合させて繋ぎ合わせるとともに支柱挿通孔９ｈを塞ぐ。そして、笠木４３を連結材９，９の左右両側に配置することで図１６（ｃ）に示す状態となり、その後、笠木４３を笠木ベース７と係合させてネジ止めした後、支柱１にパネル体３を取り付けることによりフェンスが完成する。
【００２２】
このように構成したフェンスの第三実施形態は、笠木４３は連結材９によって壁２上面において連結してあり、連結材９は支柱１の寸法よりも大きな寸法の支柱挿通孔９ｈを有し、支柱１を挿通させて壁２上面に取り付けてあるので、支柱１にパネル支持金具６等の部品を取り付けた状態でも施工可能であり、壁２が雨水等によって汚れない。なお、連結材９は一つの部材であってもよいが、第三実施形態のように二つの連結材９，９を連結させて用いることによって、パネル体３を支柱１に固定した状態でも施工可能である。
また、笠木４３は長さ調節以外の加工が不要であるため施工性が良い。一のカバー材５又は他のカバー材５は摺動可能であるため、支柱１の施工誤差に対応できる。一のカバー材５と他のカバー材５は支柱１の前後を挟んで連結材９の支柱挿通孔９ｈを塞ぐため、支柱１にパネル支持金具６等の部品を取り付けた状態や、パネル体３を支柱１に取り付けた後でも施工可能である。
【００２３】
本発明は、上記の実施形態に限定されない。例えばカバー材は支柱挿通孔を塞ぐものであればよく、連結材は笠木を繋ぐものであればよく、いずれも上記の実施形態とは異なる形状や構造を有するものであってもよい。
【符号の説明】
【００２４】
１    支柱
２    壁
３    パネル体
４，４３    笠木
４１    一の笠木
４２    他の笠木
４ｈ，９ｈ，４１ｈ    支柱挿通孔
５，５１    一のカバー材
５，５２    他のカバー材
６    パネル支持金具
７    笠木ベース
９，１０    連結材
【図１】
2019078144.tif 000003
【図２】
2019078144.tif 000004
【図３】
2019078144.tif 000005
【図４】
2019078144.tif 000006
【図５】
2019078144.tif 000007
【図６】
2019078144.tif 000008
【図７】
2019078144.tif 000009
【図８】
2019078144.tif 000010
【図９】
2019078144.tif 000011
【図１０】
2019078144.tif 000012
【図１１】
2019078144.tif 000013
【図１２】
2019078144.tif 000014
【図１３】
2019078144.tif 000015
【図１４】
2019078144.tif 000016
【図１５】
2019078144.tif 000017
【図１６】
2019078144.tif 000018
【図１７】
2019078144.tif 000019